(57)【要約】【課題】筐体を利用して音響空間が構成された電子鍵盤楽器において、その音響空間からの音漏れを防ぐこと。【解決手段】筐体１０は、仕切板１３の両端部１３ａ，１３ｂを筐体本体１１の一対の案内溝１１ｄ，１１ｅにそれぞれ差し入れるとともに、その際に筐体本体１１における左右方向の両端それぞれに形成される一対の開口部１０ｂ，１０ｂを一対の側蓋１６，１６によってそれぞれ塞いだことによって、その内部に音響空間１０ａが形成されている。このことにより、筐体本体１１と仕切板１３との接合部に隙間が生じにくく、音響空間１０ａからの音漏れを防ぐことができる。また、これにより、低音域から高音域まで良好な音質、制動の効いた反応（レスポンス）のよい音質を得ることができる。【選択図】図１
2006195263.tif 000002
【特許請求の範囲】
【請求項１】
筐体を利用して音響空間を構成した電子鍵盤楽器であって、
前記筐体は、
その一部が開放された断面を有する押出材を利用して構成され、開口部と前記押出材の押し出し方向に沿って形成された一対の案内溝とを有する筐体本体と、
その両端を前記一対の案内溝へそれぞれ差し入れることによって前記開口部を塞ぐことが可能な仕切板と、
前記仕切板の両端が前記一対の案内溝にそれぞれ差し入れられた場合に前記筐体本体における押し出し方向の両端それぞれに形成される一対の開口部を塞ぐことが可能な一対の側蓋と、
を備え、前記仕切板の両端を前記一対の案内溝にそれぞれ差し入れるとともに、前記一対の開口部を前記一対の側蓋によってそれぞれ塞いだことによってその内部に音響空間が形成されていること
を特徴とする電子鍵盤楽器。
【請求項２】
請求項１に記載の電子鍵盤楽器において、
前記筐体は、
前記案内溝の内部に配置されて前記案内溝に差し入れられた前記仕切板の端部との密着性を高めるためのクッション材を備えること
を特徴とする電子鍵盤楽器。
【請求項３】
請求項１または請求項２に記載の電子鍵盤楽器において、
前記筐体は、前記音響空間を分割するための分割部材をその内部に備えること
を特徴とする電子鍵盤楽器。
【発明の詳細な説明】
【技術分野】
【０００１】
本発明は、筐体を利用して音響空間が構成された電子鍵盤楽器において、その音響空間からの音漏れによる音質劣化を防ぐ技術に関する。
【背景技術】
【０００２】
従来より、筐体を利用して音響空間が構成された電子ピアノや電子オルガンなどの電子鍵盤楽器が知られている。
このような電子鍵盤楽器の中には、合成樹脂製の上側筐体および下側筐体によって筐体を構成し、且つこれら上側筐体および下側筐体の少なくとも一方にリブを筐体内部に向けて突出させるよう形成し、さらに上側筐体および下側筐体を合わせることによってその内部に密閉隔離された音響空間を有するものがある（例えば、特許文献１参照。）。
【０００３】
このように密閉隔離された音響空間を備えることにより、単に壁面で囲った音響空間を備える場合に比べて次のような有利な点がある。
（１）低音性能がよい
（２）音切れ・音の反応（レスポンス）がよい
【特許文献１】特開平２−１５８８００号公報（第４頁、図１）
【発明の開示】
【発明が解決しようとする課題】
【０００４】
しかし、上述のような電子鍵盤楽器においては、次のような理由によって上側筐体および下側筐体を合わせた際にこれらの接合面に隙間ができやすく、この隙間から音が漏れるために音質が低下するという問題があった。すなわち、一般に低音域から高音域まで良好な音響特性を得るためには、スピーカボックスは密閉構造で且つ壁厚を大きくした方がよいとされる。そのために上述のリブの厚さを上側筐体や下側筐体の壁部分の厚さより大きく設定すると、上側筐体や下側筐体の成形時における金型内の成形材料（合成樹脂）が冷却固化する際に、肉厚の薄い部分である上側筐体や下側筐体の壁部分が、肉厚の厚い部分であるリブより先に固化するため、肉厚の厚い部分の成形材料が肉厚の薄い部分に引っ張られて歪みが生じやすいからである。
【０００５】
なお、筐体を構成する上側筐体および下側筐体を合わせた接合面に生じた隙間に防振テープなどの防振材を装着することによってその隙間を埋めることも考えられるが、このようにした場合にはその分筐体の製造工数や製造コストが増加するという問題がある。
【０００６】
本発明は、このような不具合に鑑みなされたものであり、その目的とするところは、筐体を利用して音響空間が構成された電子鍵盤楽器において、その音響空間からの音漏れを防ぐ技術を提供することにある。
【課題を解決するための手段】
【０００７】
上記課題を解決するためになされた請求項１に係る電子鍵盤楽器は、「押出材を利用した筐体に形成された一対の案内溝に仕切板を差し入れ、筐体の両端の開口部を蓋部によって塞ぐことによって音響空間を形成したこと」を特徴とする。
【０００８】
具体的には、上述の電子鍵盤楽器（１：この欄においては、発明に対する理解を容易にするため、必要に応じて「発明を実施するための最良の形態」欄で用いた符号を付すが、この符号によって請求の範囲を限定することを意味するものではない。）は、筐体（１０）を備えており、その筐体を利用して音響空間が構成されている。この筐体は、筐体本体（１１）と、板状の仕切板（１３）と、一対の側蓋（１６，１６）と、を備えている。筐体本体は、その一部が開放された断面を有する押出材を利用して構成され、開口部と前記押出材の押し出し方向に沿って形成された一対の案内溝（１１ｄ，１１ｅ）を有する。また、仕切板は、その両端を筐体本体の一対の案内溝へそれぞれ差し入れることによって前記開口部を塞ぐことが可能である。また、側蓋は、仕切板の両端が筐体本体の一対の案内溝にそれぞれ差し入れられた場合に筐体本体における押し出し方向の両端それぞれに形成される一対の開口部（１０ｂ）を塞ぐことが可能である。そして、筐体については、仕切板の両端を筐体本体の一対の案内溝にそれぞれ差し入れるとともに、その際に筐体本体における押し出し方向の両端それぞれに形成される一対の開口部を一対の側蓋によってそれぞれ塞いだことによってその内部に音響空間（１０ａ）が形成されている。
【０００９】
従来の電子鍵盤楽器においては、上側筐体および下側筐体を合わせた際にこれらの接合面に隙間ができやすく、この隙間から音が漏れるために音質が低下するという問題があった。これに対して本発明によれば、押出材を利用した筐体に形成された一対の案内溝に仕切板を差し入れ、筐体の両端の開口部を蓋部によって塞ぐことによって音響空間を形成したので、筐体本体と仕切板との接合部に隙間が生じにくく、音響空間からの音漏れを防ぐことができる。また、これにより、低音域から高音域まで良好な音質、制動の効いた反応（レスポンス）のよい音質を得ることができる。
【００１０】
また、本発明によれば、仕切板を挿入するための案内溝が上述の押出材の一部として押し出し成形時に形成されるので、従来の電子鍵盤楽器のような筐体を構成する上側筐体および下側筐体を合わせた接合面に生じた隙間に防振テープなどの防振材を装着してその隙間を埋めるようなことをする必要がなく、余分な筐体の製造工数や製造コストが増加することがない。また、例えば筐体本体にレール部材を取り付けることにより案内溝を形成する場合に比べて容易に案内溝を形成することができる。
【００１１】
この場合、筐体本体の案内溝の内部にクッション材を備え、案内溝に差し入れられた仕切板の端部との密着性を高めるようにしてもよい(請求項２)。このようにすれば、筐体本体と仕切板との接合部に隙間がさらに生じにくくすることができる。
【００１２】
また、上述の音響空間については、その内部に分割部材を入れて左右や上下に分割してもよい（請求項３）。このようにすれば、分割された各音響空間それぞれにスピーカを取り付けることにより、音漏れがない高音質のステレオ音を放音することができる。
【発明を実施するための最良の形態】
【００１３】
以下に本発明の実施形態を図面とともに説明する。
［第一実施形態］
図１（ａ）は、電子鍵盤楽器１を示す平面図である。また、図１（ｂ）は筐体１０を示す斜視図である。なお、図１（ａ）では電子鍵盤楽器１において、鍵盤２０が配置されて演奏者が演奏する側（図１（ａ）で上側）を「前側」とし、演奏者が演奏する側の反対側（図１（ａ）では下側）を「後側」とし、演奏者側から見た電子鍵盤楽器１の右側、左側をそれぞれ「右側」、「左側」とする。
【００１４】
［電子鍵盤楽器１の構成の説明］
図１（ａ）に示すように、電子鍵盤楽器１は、筐体１０および筐体１０の前側に載せられた鍵盤２０を備えている。なお、鍵盤２０の各部構成については、公知技術にしたがっているのでここでは詳細な説明は省略する。
【００１５】
［筐体１０の構成の説明］
図１(ｂ)に示すように、筐体１０は、筐体本体１１、棚板１２、仕切板１３、スピーカ１４、ダクト１５、側蓋１６を備えている。
【００１６】
このうち、筐体本体１１は、アルミ材料を押し出し成形した押出材を利用して構成されている。具体的には、筐体本体１１は、断面略コの字状の長尺部材であり、コの字の中央部分１１ａと、その両側に位置する上側翼部１１ｂおよび下側翼部１１ｃとから構成されている。また、この筐体本体１１の長さ寸法は、鍵盤２０の左右方向の長さ寸法とほぼ等しく設定されている。また、上側翼部１１ｂには、仕切板１３の端部１３ａを案内するための案内溝１１ｄが押出材の押し出し方向に沿って形成されており、一方、下側翼部１１ｃには、仕切板１３の端部１３ｂを案内するための案内溝１１ｅが押出材の押し出し方向に沿って案内溝１１ｄと対向するよう形成されている。なお、案内溝１１ｄ，１１ｅについては、上側翼部１１ｂおよび下側翼部１１ｃから２つのレール状の突起部をそれぞれ突起させることによって形成されている。また、筐体本体１１の上側翼部１１ｂの左右の端部付近には、スピーカ１４を取り付けるための取付孔（図示省略）がそれぞれ２つずつ形成されており、これら取付孔にはスピーカ１４がそれぞれ取り付けられている。このことにより、本実施形態の電子鍵盤楽器１では、スピーカ１４を左右に２つずつ配置したいわゆる２ウェイ構成を有している。また、筐体本体１１の下側翼部１１ｃの左右の端部付近には、ダクト１５を取り付けるための取付孔（図示省略）がそれぞれ１つずつ形成されており、これら取付孔にはダクト１５が取り付けられている。このことにより、本実施形態の電子鍵盤楽器１では、いわゆるバスレフ構造を有している。
【００１７】
また、棚板１２は、木質材料で構成された板材である。この棚板１２の長さ寸法は筐体本体１１の長さ寸法とほぼ等しく設定されている。また、棚板１２は、その前側に鍵盤２０を載せることができるよう構成されている（図１（ａ）参照）。また、棚板１２は、その後側に筐体本体１１（より具体的には、下側翼部１１ｃ）をビスなどによって取り付けることができるよう構成されている。また、棚板１２は、その下面に、電子鍵盤楽器１を支持するスタンド（図示省略）をビスなどによって取り付けることができるよう構成されている。
【００１８】
また、仕切板１３は、アルミ材料で構成された板材であり、その長さ寸法が筐体本体１１の長さ寸法とほぼ等しく設定されている。また、仕切板１３は、その高さ寸法が、筐体本体１１における上側翼部１１ｂに形成された案内溝１１ｄと下側翼部１１ｃに形成された案内溝１１ｅとの間の寸法より若干小さく設定され、また、その両端部１３ａ，１３ｂの厚み寸法が、筐体本体１１の案内溝１１ｄ，１１ｅの溝幅寸法よりも若干小さく設定されており、垂直に立てた姿勢でその両端部１３ａ，１３ｂが案内溝１１ｄ，１１ｅにそれぞれ差し入れられている。
【００１９】
また、側蓋１６は、仕切板１３の両端が筐体本体１１の一対の案内溝１１ｄ，１１ｅにそれぞれ差し入れられた場合に筐体本体１１における左右方向の両端それぞれに形成される一対の開口部を塞ぐことが可能に構成されており、棚板１２や筐体本体１１にビスなどで取り付けられている。
【００２０】
以上のように構成された筐体１０は、仕切板１３の両端部１３ａ，１３ｂを筐体本体１１の一対の案内溝１１ｄ，１１ｅにそれぞれ差し入れるとともに、その際に筐体本体１１における左右方向の両端それぞれに形成される一対の開口部１０ｂ，１０ｂを一対の側蓋１６，１６によってそれぞれ塞いだことによって、その内部に音響空間１０ａが形成されている。
【００２１】
なお、電子鍵盤楽器１における各部構成については、公知技術にしたがっているのでここでは詳細な説明は省略する。
［効果］
このように第一実施形態の電子鍵盤楽器１によれば、次のような効果を奏する。すなわち、従来の電子鍵盤楽器においては、上側筐体および下側筐体を合わせた際にこれらの接合面に隙間ができやすく、この隙間から音が漏れるために音質が低下するという問題があった。これに対して第一実施形態の電子鍵盤楽器１によれば、筐体１０については、仕切板１３の両端部１３ａ，１３ｂを筐体本体１１の一対の案内溝１１ｄ，１１ｅにそれぞれ差し入れるとともに、その際に筐体本体１１における左右方向の両端それぞれに形成される一対の開口部１０ｂ，１０ｂを一対の側蓋１６，１６によってそれぞれ塞いだことによってその内部に音響空間１０ａが形成されているので、筐体本体１１と仕切板１３との接合部に隙間が生じにくく、音響空間１０ａからの音漏れを防ぐことができる。また、これにより、低音域から高音域まで良好な音質、制動の効いた反応（レスポンス）のよい音質を得ることができる。
【００２２】
また、第一実施形態の電子鍵盤楽器１によれば、仕切板１３の両端部１３ａ，１３ｂをそれぞれ挿入するための案内溝１１ｄ，１１ｅが上述の押出材の一部として押し出し成形時に形成されるので、従来の電子鍵盤楽器のような筐体を構成する上側筐体および下側筐体を合わせた接合面に生じた隙間に防振テープなどの防振材を装着してその隙間を埋めるようなことをする必要がなく、余分な筐体の製造工数や製造コストが増加することがない。また、例えば筐体本体にレール部材を取り付けることによって案内溝を形成する場合に比べて容易に案内溝１１ｄ，１１ｅを形成することができる。
【００２３】
［他の実施形態］
以上、本発明の一実施形態について説明したが、本発明は上記実施形態に限定されるものではなく、以下のような様々な態様にて実施することが可能である。
【００２４】
（１）上記実施形態では、アルミ材料を押し出し成形した押出材を利用して筐体本体１１を構成しているが、これは限られず、例えば樹脂材料などの他の素材を押し出し成形した押出材を利用して筐体本体１１を構成してもよい。
【００２５】
（２）また、上記実施形態では、仕切板１３をアルミ材料で構成しているが、これは限られず、仕切板１３を樹脂材料や木質材料などの他の材料で構成してもよい。
（３）上記実施形態では、筐体１０において、筐体本体１１の上側翼部１１ｂに案内溝１１ｄが形成されており、一方、下側翼部１１ｃに案内溝１１ｅが案内溝１１ｄと対向するよう形成されており、これら案内溝１１ｄ，１１ｅに板状の仕切板１３の両端部１３ａ，１３ｂが差し入れされているが、これには限られず、様々に形成することが考えられる。一例を挙げると、図２（ａ）に例示するように、筐体１１０において、筐体本体１１１の上側翼部１１１ｂに案内溝１１１ｄを形成し、一方、筐体本体１１１の中央部分１１１ａに案内溝１１１ｅを案内溝１１１ｄと対向するよう形成し、これら案内溝１１１ｄ，１１１ｅに板状の仕切板１１３の両端部１１３ａ，１１３ｂをそれぞれ差し入れるといった具合である。また、図２（ｂ）に例示するように、筐体１２０において、筐体本体１２１の上側翼部１２１ｂに案内溝１２１ｄを形成し、一方、筐体本体１２１の中央部分１２１ａに案内溝１２１ｅを案内溝１２１ｄと対向するよう形成し、これら案内溝１２１ｄ，１２１ｅに、断面が略Ｌ字状の仕切板１２３の両端部１２３ａ，１２３ｂを差し入れるといった具合である。このように構成しても上記実施形態と同様の作用効果を奏する。
【００２６】
（４）上記実施形態では、案内溝１１ｄ，１１ｅについては、上側翼部１１ｂおよび下側翼部１１ｃから２つのレール状の突起部をそれぞれ突起させることにより形成されているが、これには限られず、図２(ｃ)に例示するように、筐体本体１３１において、上側翼部１３１ｂおよび下側翼部１３１ｃの表面からその内部に向けて案内溝１３１ｄ，１３１ｅをそれぞれ形成し、これら案内溝１３１ｄ，１３１ｅに、仕切板１３３の両端部１３３ａ，１３３ｂを差し入れるようにしてもよい。このように構成しても上記実施形態と同様の作用効果を奏する。
【００２７】
（５）上記本実施形態では、スピーカ１４を左右に２つずつ配置しているが、これには限られず、スピーカ１４を取り付けるための取付孔（図示省略）の数量を変更することにより、例えばスピーカを左右に１つずつ配置してもよいし（いわゆるフルレンジ構成）、スピーカを左右に３つずつ配置してもよい（いわゆる３ウェイ構成）。
【００２８】
（６）上記実施形態において、筐体本体１１の案内溝１１ｄ，１１ｅの内部に例えばクッション材（図示省略）を備え、案内溝１１ｄ，１１ｅに差し入れられた仕切板１３の両端部１３ａ，１３ｂとの密着性を高めるようにしてもよい。このようにすれば、筐体本体１１と仕切板１３との接合部に隙間がさらに生じにくくすることができる。
【００２９】
（７）上記実施形態において、上述の音響空間については、その内部に分割部材を入れて左右や上下に分割してもよい。一例を挙げると、筐体本体１１の中央部分１１ａ、上側翼部１１ｂ、下側翼部１１ｃ、仕切板１３それぞれに案内溝を別途形成して、これらの４つの案内溝の内側に分離用仕切板を入れるといった具合である。このようにすれば、分割された各音響空間それぞれにスピーカを取り付けることにより、音漏れがない高音質のステレオ音を放音することができる。
【００３０】
（８）上記実施形態では、スピーカ１４を筐体１０の上部（筐体本体１１の上側翼部１１ｂ）に取り付けるよう構成しているが、これには限られず、スピーカ１４を筐体１０の後部（筐体本体１１の中央部分１１ａ）や下部（筐体本体１１の下側翼部１１ｃ）などに取り付けるよう構成してもよい。
【図面の簡単な説明】
【００３１】
【図１】（ａ）は電子鍵盤楽器を示す平面図であり、（ｂ）は筐体を示す斜視図である。
【図２】（ａ）別実施形態の筐体を示す説明図（１）であり、（ｂ）別実施形態の筐体を示す説明図（２）であり、（ｃ）別実施形態の筐体を示す説明図（３）である。
【符号の説明】
【００３２】
１・・・電子鍵盤楽器、１０，１１０，１２０，１３０・・・筐体、１０ａ・・・音響空間、１０ｂ・・・開口部、１１，１１１，１２１，１３１・・・筐体本体、１１ａ，１１１ａ，１２１ａ，１３１ａ・・・中央部分、１１ｂ，１１１ｂ，１２１ｂ，１３１ｂ・・・上側翼部、１１ｃ，１１１ｃ，１２１ｃ，１３１ｃ・・・下側翼部、１１ｄ，１１ｅ，１１１ｄ，１１１ｅ，１２１ｄ，１２１ｅ，１３１ｄ，１３１ｅ・・・案内溝、１２・・・棚板、１３，１１３，１２３，１３３・・・仕切板、１３ａ，１３ｂ，１１３ａ，１１３ｂ，１２３ａ，１２３ｂ，１３３ａ，１３３ｂ・・・仕切板の端部、１４・・・スピーカ、１５・・・ダクト、１６・・・側蓋、２０・・・鍵盤
【図１】
2006195263.tif 000003
【図２】
2006195263.tif 000004